(57)【要約】【課題】ターンテーブルに装着される光ディスクの種類に応じて対物レンズと光ディスク間の作業距離を調整するためにターンテーブルの高さの調整が可能な、高さ可変型ターンテーブル組立体およびこれを備えた光ディスク装置を提供する。【解決手段】光ディスクが装着されるターンテーブルと、ターンテーブルの底面中心に結合される回転軸を有し、前記回転軸を介して前記ターンテーブルを回転させるスピンドルモータと、スピンドルモータを上下に駆動することにより前記ターンテーブルの高さを調整する高さ調整手段とを含んでなる。【選択図】図３
2006012373.tif 000002
【特許請求の範囲】
【請求項１】
デックの一側面に形成された貫通孔に挿入されるターンテーブル組立体において、
光ディスクが装着されるターンテーブルと、
前記ターンテーブルの底面中心に結合される回転軸を有し、前記回転軸を介して前記ターンテーブルを回転させるスピンドルモータと、
前記スピンドルモータを上下に駆動することにより前記ターンテーブルの高さを調整する高さ調整手段とを含んでなることを特徴とする高さ可変型ターンテーブル組立体。
【請求項２】
前記高さ調整手段が、
駆動軸を有する調整モータと、
前記スピンドルモータを支持し、前記調整モータの駆動軸の回転により、前記デックの水平面に垂直な方向に駆動する垂直駆動手段とを含むことを特徴とする請求項１記載の高さ可変型ターンテーブル組立体。
【請求項３】
前記駆動軸に駆動ギヤが結合され、前記垂直駆動手段は前記駆動ギヤに連結される少なくとも一つのギヤおよびカムを含むことを特徴とする請求項２記載の高さ可変型ターンテーブル組立体。
【請求項４】
前記駆動軸が前記デックの水平面に対して垂直なことを特徴とする請求項３記載の高さ可変型ターンテーブル組立体。
【請求項５】
前記駆動軸が前記デックの水平面に対して平行であり、前記垂直駆動手段は少なくとも一つのウォームギヤを含むことを特徴とする請求項３記載の高さ可変型ターンテーブル組立体。
【請求項６】
前記垂直駆動手段が少なくとも二つであることを特徴とする請求項２記載の高さ可変型ターンテーブル組立体。
【請求項７】
前記垂直駆動手段と前記スピンドルモータ間にシャーシが介在され、前記シャーシは前記スピンドルモータの下面全体を支持することを特徴とする請求項６記載の高さ可変型ターンテーブル組立体。
【請求項８】
一端が前記デックの底面に固定され、他端が前記調整モータを支持する形状のブラケットを含み、前記ブラケットにより前記調整モータが固定されることを特徴とする請求項２記載の高さ可変型ターンテーブル組立体。
【請求項９】
前記垂直駆動手段が前記ブラケットにより支持されることを特徴とする請求項８記載の高さ可変型ターンテーブル組立体。
【請求項１０】
実質的に長方形の本体を有し、貫通孔が一側面に形成され、中心孔が中央部に形成されたデックと、前記貫通孔に挿入され、上面に装着された光ディスクを回転させるターンテーブル組立体と、前記中心孔内で前記貫通孔の方向に往復駆動され、前記光ディスクから所定の作業距離を維持する対物レンズを有する光ピックアップと、前記光ピックアップを水平方向に往復駆動させる光ピックアップ駆動手段とを含む光ディスク装置において、前記ターンテーブル組立体は、
前記光ディスクが装着されるターンテーブルと、
前記ターンテーブルの底面中心に結合される回転軸を有し、前記回転軸を介して前記ターンテーブルを回転させるスピンドルモータと、
前記デックの底面で前記スピンドルモータを上下に駆動する高さ調整手段とを含み、
前記高さ調整手段により前記ターンテーブルの高さを調整することにより、前記対物レンズと前記光ディスク間の作業距離を調整することを特徴とする可変型ターンテーブル組立体を含む光ディスク装置。
【請求項１１】
前記光ディスクの種類を識別する識別手段をさらに含み、前記高さ調整手段は前記識別手段の識別結果によって前記ターンテーブルの高さを調整することを特徴とする請求項１０記載の可変型ターンテーブル組立体を含む光ディスク装置。
【発明の詳細な説明】
【技術分野】
【０００１】
本発明は光ディスク用ターンテーブル組立体に係り、より詳しくは、ターンテーブルに装着される光ディスクの種類に応じて対物レンズと光ディスク間の作業距離を調整するためにターンテーブルの高さの調整が可能な、高さ可変型ターンテーブル組立体およびこれを備えた光ディスク装置に関するものである。
【背景技術】
【０００２】
情報記録媒体として、記録媒体に記録再生用ヘッドを接触させないで情報の記録再生を可能にするうえ、記録密度の向上を図るための記録媒体として光ディスクが用いられている。
【０００３】
情報の記録再生を可能にする光ディスクとしては、例えばレーザ光の照射により結晶化状態と非結晶化状態を繰り返す相変化型の記録層を用いるものがある。
【０００４】
このような種類の光ディスクへの情報記録は、記録すべき情報信号に応じて変調されたレーザ光を光ディスクの情報記録面に照射することによりなされる。
【０００５】
情報の記録再生を可能にする相変化型記録層を用いる光ディスクとしては、ＤＶＤ（Digital Video Disk または Digital Versatile Disk）がある。ＤＶＤは既存のＣＤ（Compact Disk）に比べて高い記録密度を有する。例えば、ＣＤの場合、およそ１．６μｍのトラックピッチを有するように形成されることに対し、ＤＶＤの場合は、およそ０．７４μｍのトラックピッチを有するように形成される。そのほかにも、最近提案されている新規の光ディスクとして、およそ０．３μｍのトラックピッチを有するＢＤ（Blu-ray Disk）がある。
【０００６】
このようなＢＤは、既存のＣＤおよびＤＶＤより高い記録密度を有するように形成されるので、同じ大きさの光ディスク面積を基準として、より多量の情報を記憶することができるものである。具体的に、ＣＤの最大記憶容量がおよそ６５０ＭＢ、ＤＶＤの最大記憶容量がおよそ４．７ＧＢであることに対し、ＢＤの最大記憶容量はおよそ２５ＧＢである。
【０００７】
光ディスクの情報記録面に記録された情報は次のような段階を経て判読／再生される。すなわち、光ディスクがターンテーブルに装着され、スピンドルモータの駆動によりターンテーブルと共に光ディスクが回転し、対物レンズが備えられた光ピックアップが光ディスクの半径方向（ターンテーブル組立体が形成された方向）に水平往復運動しながら、光ピックアップによる光ディスクの判読／再生を行う。
【０００８】
一方、光ピックアップの対物レンズと光ディスクの情報記録面間の距離は焦点距離（focal distance）または作業距離（working distance）と呼ばれ、光ディスクの情報記録面に記録された情報を正確に判読するためには、作業距離を調整する過程が要求される。また、このような作業距離は、光ディスクの種類によって異なる距離を適用しなければならない。
【０００９】
例えば、ＣＤは情報記録面上におよそ１．２ｍｍ厚さの透明基板が形成された構造で、このようなＣＤに使用されるレーザ光の波長はおよそ７８０ｎｍであり、開口数（ＮＡ）は０．４５の値を有する。ＤＶＤは情報記録面上におよそ０．６ｍｍ厚さの透明基板が形成された構造で、このようなＤＶＤに使用されるレーザ光の波長はおよそ６５０ｎｍであり、開口数（ＮＡ）は０．６０の値を有する。ＢＤは情報記録面上におよそ０．１ｍｍ厚さのカバー層が形成された構造で、このようなＢＤに使用されるレーザ光の波長はおよそ４００ｎｍであり、開口数（ＮＡ）は０．８５の値を有する。
【００１０】
このように、光ディスク（例えば、ＣＤ、ＤＶＤ、ＢＤ）の種類に応じて、対物レンズと光ディスク間の作業距離はそれぞれ相違するように適用しなければならない。このような作業距離の調整は、一般的に光ピックアップ内の対物レンズの姿勢および位置を調整することによりなされる。
【００１１】
図１は従来の一実施例による光ディスク装置１０の要部を概略的に示すものである。同図に示すように、スピンドルモータ４０がベース８０に締結され、スピンドルモータの回転軸４２にターンテーブル３２が結合される。ターンテーブル３２上には種々の光ディスク２０が装着され、装着された光ディスクから情報を判読する光ピックアップ６０はベースの一側に設けられる。光ピックアップ６０は光ディスクの下部で光ディスクの半径方向（矢印Ｒの方向）に移動できる。また、光ピックアップ６０にはアクチュエータ６６が設けられ、アクチュエータ６６に固定されたワイヤー６４により対物レンズ６２が支持される構造である。
【００１２】
対物レンズ６２は光ディスクの面に対して垂直（フォーカシング方向）または水平（トラッキング方向）に移動可能に構成され、具体的にはトラッキングサーボ（図示せず）とフォーカシングサーボ（図示せず）の制御により、光ディスクに対する対物レンズの位置が制御される。ここで、フォーカシングサーボが対物レンズの垂直方向制御を担当し、フォーカシングサーボの制御により、対物レンズと光ディスク間の作業距離が調整できる。
【００１３】
このような光ディスク装置において、作業距離は、光ピックアップの対物レンズを光ディスク面に向けて垂直方向に移動させることで調整される。このような方式において、線形成が保障される対物レンズの移動範囲、つまり線形成が保障されるフォーカス可動量はおよそ０．８〜１．２ｍｍである。しかし、このようなフォーカス可動量はＣＤ、ＤＶＤ、ＢＤの全てに対して互換性を有することは難しく、ＣＤ、ＤＶＤ、ＢＤの全てに対応するためには、光ディスクに応じて対応デックを適用するデュアルデックシステムを要求することができる。
【００１４】
また、このような光ディスク装置は、光ピックアップの対物レンズを駆動して光ディスクとの作業距離を合わせる方式であるため、無理に対物レンズを調整する場合、アクチュエータのＤＣ感度（ＤＣ追従性）およびチルト特性に酷い影響を与えることができる。
【００１５】
一方、ターンテーブルを直接駆動して光ディスクと対物レンズ間の作業距離を調整し得る構造のターンテーブル装置が知られている（例えば、特許文献１参照）。図２ａおよび図２ｂは前記特許文献１に開示されている光ディスク装置１１０の分解斜視図およびターンテーブル装置１３０の断面図である。
【００１６】
同図に示すように、前記特許文献１によるターンテーブル装置１３０は、ターンテーブル１３２と、ターンテーブル１３２の昇降を支持するための昇降支持部１４７と、ターンテーブル１３２の昇降を駆動する昇降駆動部１５１と、ターンテーブル１３２が昇降する高さを制御する昇降制御部１５９とを含む。
【００１７】
より詳細には、従来のターンテーブル装置１３０において、昇降支持部１４７は、ターンテーブル１３２の回転軸１４２を直接支持する回転軸敷板１４６と、回転軸敷板１４６に弾性復元力を与える弾性部材１４８とを含む。回転軸１４２は、周辺に構成された回転子および固定子などと共にスピンドルモータ１４０を構成する。昇降駆動部１５１は、昇降支持部１４７の一側にヒンジ１５２で結合され、内側一端部で昇降支持部１４７の弾性部材１４８に結合される昇降駆動部材１５０を含む。昇降制御部１５９は、昇降駆動部材１５０の外側端に形成された連動ピン１５４をガイドする多段ガイド孔１５８が形成された駆動プレート１５６と、駆動プレート１５６を駆動する駆動カム１５７とを含む。多段ガイド孔１５８には、デック１８０のデック連動ピン１８２が共に結合されてガイドされる。
【００１８】
このような従来のターンテーブル装置１３０が作動する原理は次のようである。昇降制御部１５９の制御（図２ａの駆動カムの回転範囲参照）により、連動ピン１５４と結合された駆動プレート１５６が図面の左側方向に移動する。駆動プレート１５６が移動するに従い、多段ガイド孔１５８内の連動ピン１５４とデック連動ピン１８２の相対的高さ差が発生すると、昇降駆動部材１５０がヒンジ１５２を中心に回動する。昇降駆動部材１５０の回動により昇降駆動部材の一端部１５３が下降し、一端部１５３に結合された昇降支持部１４７が共に下降することにより、ターンテーブル１３２の高さが低くなる。
【００１９】
このような従来のターンテーブル装置は、作業距離が相対的に小さい光ディスク（例えば、ＤＶＤ）を基準にターンテーブルの高さをセットした後、作業距離が相対的に大きい光ディスク（例えば、ＣＤ）が装着されると、ターンテーブルの高さを低める方式により、相違した作業距離に対応することができる。したがって、従来のターンテーブル装置は、相違した種類の光ディスク（例えば、ＣＤおよびＤＶＤ）に共に適用可能な構造を有する。
【００２０】
しかし、かかる従来のターンテーブル装置は、基本的に２種の光ディスクに対応して製作したもので、最近に提案された形態の光ディスクであるＢＤまで３種の光ディスクに対して適用するのには無理がある。
【００２１】
例えば、従来のターンテーブル装置において、昇降制御部内の多段ガイド孔１５８は、第１ガイド部１５８−１、第２ガイド部１５８−２、および第３ガイド部１５８−３に区分されるように形成され、多段ガイド孔１５８内で昇降駆動部材１５０の連動ピン１５４とデック連動ピン１８２の相対位置に基づいてデック１８０およびターンテーブル１３２の姿勢が制御される。
【００２２】
具体的に、回転軸１８４をヒンジとしてデック１８０の前面が下降する光ディスクローディング段階、焦点距離の短い光ディスク（例えば、ＤＶＤ）用装着段階、および焦点距離の長い光ディスク（例えば、ＣＤ）用装着段階により制御可能である。このような構成を考慮すると、従来のターンテーブル装置にＢＤのような第３光ディスクを適用することは容易でないからである。
【００２３】
また、従来のターンテーブル装置は、基本的にデックがヒンジ軸により回転可能な構造に適用できるもので、デック自体が水平状態に固定される方式の光ディスク装置には適用できないものである。
【００２４】
さらに、従来のターンテーブル装置の特徴は、多段ガイド孔内にターンテーブルの連動ピン（正確には、昇降駆動部材の連動ピン）と共にデックの連動ピンが結合されて駆動され、デックとターンテーブル間の相対的高さ差が適用される構造であるため、単にガイド孔をもう１段形成するとしても、３種の光ディスクの全てに適用可能なターンテーブル装置を提供することはできない。
【００２５】
また、従来のターンテーブル装置において、ターンテーブルの昇降制御は、駆動カム→駆動プレート→連動ピン→昇降駆動部材（ヒンジ）→回転軸敷板→回転軸→ターンテーブルのような多数部品の結合構造によりなされるため、その制御精度を維持することが容易でない。
【００２６】
さらに、従来のターンテーブル装置の場合、個々の構成要素の製作に製作上の公差が存在し、このような公差が累積することにより作動誤差が発生し得る。
【００２７】
【特許文献１】大韓民国登録特許公告第１６２４１６号
【発明の開示】
【発明が解決しようとする課題】
【００２８】
したがって、本発明の目的は、少なくとも３種の光ディスクに対応して高さが調整される高さ可変型ターンテーブル組立体を提供することにある。
【００２９】
本発明のほかの目的は、少なくとも３種の光ディスクに対応して、光ディスクと対物レンズ間の作業距離が調整される高さ可変型ターンテーブル組立体を含む光ディスク装置を提供することにある。
【課題を解決するための手段】
【００３０】
前記のような目的を達成するため、本発明は、デックの一側面に形成された貫通孔に挿入されるターンテーブル組立体において、光ディスクが装着されるターンテーブルと、前記ターンテーブルの底面中心に結合される回転軸を有し、前記回転軸を介して前記ターンテーブルを回転させるスピンドルモータと、前記スピンドルモータを上下に駆動することにより前記ターンテーブルの高さを調整する高さ調整手段とを含んでなる高さ可変型ターンテーブル組立体を提供する。
【００３１】
前記高さ調整手段は、駆動軸を有する調整モータと、前記スピンドルモータを支持し、前記調整モータの駆動軸の回転により、前記デックの水平面に垂直な方向に駆動する垂直駆動手段とを含むことができる。
【００３２】
前記駆動軸に駆動ギヤが結合され、前記垂直駆動手段は前記駆動ギヤに連結される少なくとも一つのギヤおよびカムを含むことができる。
【００３３】
前記駆動軸は前記デックの水平面に対して垂直であり得る。
【００３４】
前記駆動軸は前記デックの水平面に対して平行であり、前記垂直駆動手段は少なくとも一つのウォームギヤを含むことができる。
【００３５】
前記垂直駆動手段は少なくとも二つであり得る。
【００３６】
前記垂直駆動手段と前記スピンドルモータ間にシャーシが介在され、前記シャーシは前記スピンドルモータの下面全体を支持することができる。
【００３７】
一端が前記デックの底面に固定され、他端が前記調整モータを支持する形状のブラケットを含み、前記ブラケットにより前記調整モータが固定されることができる。
【００３８】
前記垂直駆動手段は前記ブラケットにより支持できる。
【００３９】
また、前記のような目的を達成するため、本発明は、実質的に長方形の本体を有し、貫通孔が一側面に形成され、中心孔が中央部に形成されたデックと、前記貫通孔に挿入され、上面に装着された光ディスクを回転させるターンテーブル組立体と、前記中心孔内で前記貫通孔の方向に往復駆動され、前記光ディスクから所定の作業距離を維持する対物レンズを有する光ピックアップと、前記光ピックアップを水平方向に往復駆動させる光ピックアップ駆動手段とを含む光ディスク装置において、前記ターンテーブル組立体は、前記光ディスクが装着されるターンテーブルと、前記ターンテーブルの底面中心に結合される回転軸を有し、前記回転軸を介して前記ターンテーブルを回転させるスピンドルモータと、前記デックの底面で前記スピンドルモータを上下に駆動する高さ調整手段とを含み、前記高さ調整手段により前記ターンテーブルの高さを調整することにより、前記対物レンズと前記光ディスク間の作業距離を調整する可変型ターンテーブル組立体を含む光ディスク装置を提供する。
【００４０】
前記光ディスク装置は前記光ディスクの種類を識別する識別手段をさらに含み、前記高さ調整手段は前記識別手段の識別結果によって前記ターンテーブルの高さを調整することができる。
【発明の効果】
【００４１】
以上のような本発明によると、光ディスクと光ピックアップ間の作業距離が、例えばＣＤ、ＤＶＤ、ＢＤなどのような光ディスクの種類に応じて調整可能であり、光ピックアップの対物レンズでなく光ディスクが装着されるターンテーブルの高さを調整して作業距離を調整することができ、よって３種の光ディスクの全てに適用可能な構造であるとともに、光ピックアップのアクチュエータのＤＣ感度および対物レンズのチルト特性に優れた高さ可変型ターンテーブル組立体およびこれを備えた光ディスク装置を提供する。
【発明を実施するための最良の形態】
【００４２】
以下、添付図面に基づいて本発明の好ましい実施例を説明する。
【００４３】
（第１実施例）
図３は本発明の第１実施例によるターンテーブル組立体を示す分解斜視図、図４は図３のターンテーブル組立体を備えた光ディスク装置を概略的に示す平面図、図５は図４のＶ−Ｖ線についての断面図である。図３ないし図５に基づいて本発明の好ましい実施例を説明する。
【００４４】
本発明の第１実施例において、光ディスク装置２１０は、大別して光ディスク２２０が装着されるターンテーブル組立体２３０と、光ディスクの情報記録面にレーザビームを照射し、その反射されたレーザ光を検出する光ピックアップ２６０と、光ピックアップ２６０を光ディスクの半径方向に往復駆動させる光ピックアップ駆動手段と、前記ターンテーブル組立体２３０、前記光ピックアップ２６０および前記光ピックアップ駆動手段が締結されるデック２８０とからなる。
【００４５】
ターンテーブル組立体２３０は、光ディスクが装着されるターンテーブル２３２、およびターンテーブル２３２を回転させるスピンドルモータ２４０に区分されるが、これらはデック２８０の一側に形成された貫通孔２８４を介してデックに結合されることが一般的である。
【００４６】
光ピックアップ２６０はデック２３０の中央に形成された中心孔２８２に位置し、中心孔内でターンテーブル組立体２３０が形成された方向に水平に往復駆動される。また、光ピックアップは、照射されるレーザ光が光ディスクの情報記録面に合わせられるようにする対物レンズ２６２を上部に備えている。
【００４７】
光ピックアップ２６０は両側面に設けられた光ピックアップ駆動手段により駆動され、光ピックアップ駆動手段は、デック２８０に固着された駆動モータ２７２と、光ピックアップの駆動方向に光ピックアップの両側面に設けられた一対のガイド棒２７４、２７６と、駆動モータ２７２の回転運動を直線運動に変更して光ピックアップ２６０を直接駆動する締結手段２７８とを含む。締結手段２７８は、少なくとも一対のギヤ２７７と、このギヤ２７７と噛み合うネジ山を有するラック２７９とを含む。
【００４８】
このような構造に加え、本発明の第１実施例は、ターンテーブル２３２の高さが上下に調整される点に特徴があるターンテーブル組立体２３０の構造を提示する。本発明の特徴によるターンテーブル組立体２３０はスピンドルモータ２４０の下部に位置し、スピンドルモータ２４０を直接上下に駆動する高さ調整手段を含む。
【００４９】
高さ調整手段は、駆動軸２５２を有する調整モータ２５０、およびスピンドルモータの下面を支持する垂直駆動手段からなる。この際、駆動軸２５２はデック２８０の水平面２８６に対して垂直方向に締結される。垂直駆動手段は駆動ギヤ２５５とカムギヤ２５４の組合からなり、駆動ギヤ２５５は調整モータの駆動軸２５２に結合される。カムギヤ２５４は、駆動ギヤ２５５と噛み合うギヤ２５７と、スピンドルモータ２４０を支持するカム２５６とを含んでなる。
【００５０】
調整モータ２５０と垂直駆動手段はそれぞれブラケット２９０に装着されて支持され、ブラケット２９０自体はその一側（図示せず）がデック２８０の底面に固定できる。例えば、ブラケット２９０の中央に、調整モータ２５０の駆動軸が挿入される貫通孔２９２が形成され、カムギヤ２５４の底面中心に結合されてカムギヤの回転を支持する支持棒２９４がブラケット２９０の上面に形成できる。
【００５１】
また、調整モータ２５０は駆動軸２５２がブラケット２９０に挿入される形態に構成されるため、調整モータの上面がブラケットの底面にボルトのような付着手段（図示せず）により付着されることが好ましい。
【００５２】
また、垂直駆動手段は少なくとも二つからなることが好ましく、それぞれのカムギヤに形成されたカムは調整モータ２５０の駆動軸が任意の範囲内で回転する場合、同一高さでスピンドルモータ２４０の下部を支持するように形成されなければならない。
【００５３】
図３においては、カムギヤ２５４のカム２５６がスピンドルモータ２４０の下部を直接支持しているが、これとは異なり、スピンドルモータ２４０の下部にシャーシ（図示せず）を付着した後、シャーシをカム２５６が支持する方式で構成することもできる。カム２５６とスピンドルモータ２４０間にシャーシが介在される場合、カム２５６の形成位置がスピンドルモータ２４０の下部面に限らなければならない不便さを解消することができ、同時にカムが付着されたカムギヤ２５４の形成位置を比較的自由に配置することができる利点がある。
【００５４】
ターンテーブル２３２の高さ調整はターンテーブル組立体２３０の高さ調整手段によりなされる。ターンテーブルの高さを調整する作業はつぎのようである。
【００５５】
ターンテーブルの高さはターンテーブル２３２が結合されたスピンドルモータ２４０を上下に動かすことにより調整され、スピンドルモータ２４０はスピンドルモータを直接支持するカムギヤ２５４の回転により上下に動く。カムギヤ２５４は、調整モータ２５０の駆動軸２５２に結合された駆動ギヤ２５５と噛み合うギヤ２５７を含み、スピンドルモータを直接支持するカム２５６を含む。
【００５６】
カム２５６はカムギヤ２５４の回転により高さが変化できるので、駆動ギヤ２５５の回転方向によってカム２５６の高さが調整され、結果としてスピンドルモータ２４０に装着されたターンテーブル２３２の高さが調整される。
【００５７】
駆動ギヤ２５５は調整モータの駆動軸２５２に結合され、光ディスクの種類（例えば、ＣＤ、ＤＶＤ、ＢＤ）を識別する識別手段の識別結果によって調整モータが駆動されることにより、駆動ギヤの回転方向または回転範囲が決定される。
【００５８】
識別手段としては、別途の手段を用いて構成するか、または光ピックアップを用いて構成することもできる。光ピックアップを用いて光ディスクの種類を識別する方法は次のようである。すなわち、光ディスクがローディングされた後、光ピックアップからＳ−カーブ信号を放出し、光ディスクの情報記録面から反射される信号の差を用いて光ディスクの種類（例えば、ＣＤ、ＤＶＤ、ＢＤ）を識別することができる。
【００５９】
図３において、高さ調整手段として、一つの調整モータに対応して二つのカムギヤ２５４を連結して構成したが、これは一実施例に過ぎないもので、必要に応じて高さ調整手段に多数のカムギヤを含むことができる。また、図３において、カムギヤはスピンドルモータの下部面を直接支持するものと示されているが、必ずしもこれに限定する必要はない。例えば、カムギヤとスピンドルモータ間にスピンドルモータを支持するシャーシを介在した後、カムギヤがシャーシの所定部位を支持する方法で構成してもよい。
【００６０】
図６ａないし図６ｃはそれぞれ光ディスクとしてＤＶＤ、ＣＤおよびＢＤをターンテーブルに装着した状態で光ディスクと光ピックアップ２６０間の作業距離を調整した状態を示す断面図である。言い換えれば、図６ａないし図６ｃは図５に示すターンテーブル組立体の上下動きを示すもので、図５に加えて光ピックアップ２６０の位置が示されている。これは、光ピックアップと光ディスク間の作業距離を例示するため、光ピックアップの相対的位置を示すものである。図７は本発明のターンテーブル組立体２３０を用いて、光ディスク（ＤＶＤ、ＣＤおよびＢＤ）の種類に応じて光ディスクと光ピックアップ間の作業距離を調整する手順を示すフローチャートである。
【００６１】
図６ａないし図７に基づき、本発明の第１実施例によるターンテーブル組立体の作動原理を説明する。以下の説明において、光ピックアップ２６０はデック２８０の一側に固定され、光ピックアップ２６０の対物レンズ２６２は姿勢および位置が固定されたものであると仮定する。
【００６２】
光ディスク２２０ａ、２２０ｂ、２２０ｃがターンテーブル２３２にローディングされると、識別手段（図示せず）により、装着された光ディスクの種類を識別し、この識別結果によって光ディスクと光ピックアップ２６０の対物レンズ２６２間の作業距離を調整する。本実施例において、光ディスクとしては、ＤＶＤ、ＣＤおよびＢＤの３種類の光ディスクを適用している。このような３種の光ディスクを適用する場合、光ディスクと光ピックアップの対物レンズ間に必要な作業距離を比較すると、ＣＤを適用した場合の作業距離（ＤCD）が最も大きく（図６ｂ参照）、ＢＤを適用した場合の作業距離（ＤBD）が最も小さく（図６ｃ参照）、ＤＶＤを適用した場合の作業距離（ＤDVD）はその中間である（図６ａ参照）。
【００６３】
作業距離の調整は、ターンテーブル組立体２３０のスピンドルモータ２４０の高さを調整することで、スピンドルモータ２４０の回転軸２４２に結合されたターンテーブル２３２の高さを調整する作業によりなされる。例えば、光ディスクとしてＤＶＤを適用した場合（図６ａ）を基準として、光ディスクとしてＣＤを適用する場合は、作業距離を増やさなければならないため、ターンテーブルの高さを高める作業（図６ｂ）が必要であり、光ディスクとしてＢＤを適用する場合は、作業距離を減らさなければならないため、ターンテーブルの高さを低める作業（図６ｃ）が必要である。
【００６４】
具体的に、図７のフローチャートの順にターンテーブルの高さを調整することができる。
【００６５】
初期に、光ディスクが装着されるターンテーブルの高さは、光ディスクがＤＶＤである場合に対応する高さに設定されている。この際、ＤＶＤに対応するターンテーブルの高さはＣＤに対応するターンテーブルの高さとＢＤに対応するターンテーブルの高さとの間に位置する。
【００６６】
このような初期状態で、光ディスクをターンテーブル上にローディングして装着する（３１０）。装着される光ディスクの種類は、ローディングと同時に識別手段（図示せず）により識別する（３２０）。識別手段としては、別途の識別手段を設けて構成することも、光ピックアップ２６０を用いて構成することもできる。識別した光ディスクの種類によってターンテーブル組立体の高さを選択的に調整するが、その詳細は次のようである。
【００６７】
まず、光ディスクがＤＶＤであるかを確認し（３３０）、ＤＶＤであると、ターンテーブルの高さを調整しないで（作業距離はＤDVDである）光ディスクを判読する段階３６０に進む。
【００６８】
つぎに、光ディスクがＤＶＤでないと、光ディスクがＣＤであるかを確認する段階（３４０）に進む。ＣＤ確認段階において、光ディスクがＣＤであると、ターンテーブルの高さを高める段階（３４２）（作業距離はＤCDとなる）を経て、光ディスクを判読する段階（３６０）に進む。
【００６９】
つぎに、光ディスクがＤＶＤでないと、光ディスクがＣＤであるかを確認する段階（３４０）に進む。ＣＤ確認段階において、光ディスクがＣＤであると、ターンテーブルの高さを高める段階（３４２）（作業距離はＤCDとなる）を経て、光ディスクを判読する段階（３６０）に進む。
【００７０】
つぎに、光ディスクがＣＤでないと、光ディスクはＢＤと認識し（３５０）、ターンテーブルの高さを下降させる段階（３５２）（作業距離はＤBDとなる）を経て、光ディスクを判読する段階（３６０）に進む。
【００７１】
このように、光ディスクが装着される前にターンテーブルの高さは所定の段階に初期化され（本実施例においては、ＤＶＤに対応する高さ）、光ディスクが装着される都度、前記段階を経てターンテーブルの高さを選択的に調整する。
【００７２】
以上のようなターンテーブルの高さ調整方法は、便宜上ＤＶＤに対応するターンテーブルの高さを基準にしたが、これとは異なり、ほかの光ディスク（例えば、ＣＤまたはＢＤ）に対応するターンテーブルの高さを基準にすることもできる。
【００７３】
例えば、ＣＤに対応するターンテーブルの高さを初期値として設定する場合、光ディスクがＤＶＤと識別されると、ターンテーブルの高さを１段だけ下降させ、光ディスクがＢＤと識別されると、ターンテーブルの高さを２段だけ（１段より低く）下降させる。
【００７４】
一方、ＢＤに対応するターンテーブルの高さを初期値として設定する場合、光ディスクがＤＶＤと識別されると、ターンテーブルの高さを１段だけ上昇させ、光ディスクがＣＤと識別されると、ターンテーブルの高さを２段だけ（１段より高く）上昇させる。
【００７５】
（第２実施例）
図８は本発明の第２実施例によるターンテーブル組立体２３０′を示す分解斜視図である。
【００７６】
本発明の第２実施例において、ターンテーブル組立体２３０′は前記第１実施例によるターンテーブル組立体（図３の２３０）と類似した構造で、高さ調整手段の調整モータが相違する。したがって、第１実施例と同じ構成要素には同一符号を付け、その詳細な説明は省略する。
【００７７】
具体的に、第１実施例（図３参照）において、調整モータ２５０は、駆動軸２５２がブラケット２９０の貫通孔２９２を貫通してギヤと結合されたもので、駆動軸２５２がデック２８０の水平面２８６に対して垂直な構造であるが、本発明の第２実施例においては、調整モータ２５０′は、駆動軸２５２′がデックの水平面２８６に平行な状態でブラケット２９０′に付着された構造である。
【００７８】
したがって、調整モータ２５０′の駆動軸２５２′がデックの水平面２８６に平行に配置されるため、カムギヤ２５４と連結するため、付加の連結用ギヤ２５９が必要であり、連結用ギヤ２５９は駆動軸２５５′に結合された駆動ギヤ２５５′により回転する。この場合、駆動ギヤ２５５′としては、デック水平面に平行な駆動軸の回転運動をデックの水平面に垂直な連結ギヤ２５９の回転運動に変換するウォームギヤを使用することが好ましい。
【００７９】
ブラケット２９０′は、図３のブラケット２９０とは異なり、その底面に調整モータを付着する必要がなく、よってターンテーブル組立体２３０′が取り付けられる光ディスク装置の本体が直接ブラケットの役割を果たすこともできる。
【００８０】
図８に示すように、本発明の第２実施例によると、駆動軸２５２′の方向がデックの水平面２８６に平行な状態で調整モータ２５０′が付着されるため、本発明の第１実施例に比べ、ターンテーブル組立体２３０′の全体大きさ（垂直方向大きさ）を減らすことができる。
【００８１】
以上のような構造のターンテーブル組立体は従来の実施例に比して次のような利点を有する。
【００８２】
対物レンズを直接駆動して対物レンズと光ディスク間の作業距離を調整する従来の方式（従来の一実施例）に比べ、本発明は光ディスクが装着されるターンテーブルを直接駆動して作業距離を調整する方式を用いるもので、その駆動範囲が比較的大きいので、多様な種類の光ディスクに広範囲に適用し得る構造である。
【００８３】
すなわち、従来の方式においては、光ピックアップ内でワイヤーなどで締結された対物レンズの位置および姿勢を調整したが、この場合、光ピックアップ内のフォーカス可動量は多様な種類の光ディスク（例えば、ＣＤ、ＤＶＤ、ＢＤ）の全てに対する互換性を与えることは難しく、ＣＤ、ＤＶＤおよびＢＤの全てに対応するためには、別途のデックを適用するデュアルデックシステムが要求されるなどの制限があるが、本発明の構造を適用して解消することができる。
【００８４】
本発明の構造は、光ディスクが装着されるターンテーブルを直接上下に駆動する方式で構成されるため、ターンテーブルの上下駆動範囲を適宜調整することにより、前記のような３種の光ディスクの全てに互換できるターンテーブル組立体を提供することができる。
【００８５】
また、従来の方式で作業距離を調整するために無理に対物レンズを調整する場合、アクチュエータのＤＣ感度（ＤＣ追従性）およびチルト特性に酷い影響を与えるなどの問題点があったが、本発明の構造を適用することにより解消することができる。
【００８６】
本発明の構造は、ターンテーブルを上下に駆動するため、デックの底面に付着された調整モータと、この調整モータに連結された垂直駆動手段とを含み、この高さ調整手段を作動してターンテーブルの高さを調整するため、対物レンズを直接駆動する場合に比べ、アクチュエータのＤＣ追従性が高く、対物レンズのチルト特性に影響を与えない利点がある。
【００８７】
つぎに、光ディスクのローディングの際、デックを駆動させる方式の光ディスク装置に加え、ヒンジを中心に回転する駆動プレートと、駆動プレートの動きを制御する昇降制御部とをさらに含む従来の構造（従来のほかの実施例）に比べ、本発明の構造は単にターンテーブルの高さのみを調整する高さ調整手段を含むことに特徴がある。
【００８８】
従来のターンテーブル装置は、駆動プレート内に形成された多段ガイド孔の形状と駆動カムの回転範囲によって駆動プレートがヒンジを中心に回転する方式であるため、多段ガイド孔の形状、駆動カムの回転範囲、駆動プレートを結合させるヒンジの構造的位置などが作業距離の調整過程に大きな影響を与え、このような作業距離の調整に関連した多数の要素の殆どが一旦形状化した後には修正などができない固定化した構造である。したがって、従来の場合に適用できる光ディスクは２種（例えば、ＤＶＤおよびＣＤ）に限定され、作業距離も限定された範囲内でだけ調整できる。
【００８９】
このような従来の方式に反して、本発明によるターンテーブル組立体は、直接調整モータを駆動させる方式であるため、調整モータに連結されたカムギヤのカムを適宜回転させることにより、カムにより支持されるターンテーブルの高さを微細に調整することができる。すなわち、調整モータに印加される電流量に比例してターンテーブルの高さを調整することができる。したがって、本発明によるターンテーブルの高さ調整はカムギヤのカム形状のみによって構造的に制限される。
【００９０】
また、本発明による構造は光ピックアップの対物レンズの駆動とともに作動できる。従来の構造においては、多段ガイド孔および駆動プレートの構造的形状に限定される２地点のみでターンテーブル組立体の高さが調整されるが、本発明の構造においては、適切に形成されたカムとこのカムを回転させる駆動軸の回転によりターンテーブルの高さを微細に調整することができ、共に作動される対物レンズの姿勢および位置調整により、より広い範囲内で作業距離を調整することができる利点を有する。
【００９１】
このように、ターンテーブルの高を微細に調整することができるので、必要に応じて多様な種類の光ディスクを適用することができるが、好ましくは３種の光ディスク（例えば、ＣＤ、ＤＶＤおよびＢＤ）を適用することができる。
【００９２】
また、従来のターンテーブル装置は、基本的にデックがヒンジ軸により回転可能な構造にだけ適用することができるが、本発明はそのような構造的制限を受けない。
【００９３】
また、従来のターンテーブル装置において、ターンテーブルの昇降制御は、駆動カム→駆動プレート→連動ピン→昇降駆動部材（ヒンジ）→回転軸敷板→回転軸→ターンテーブルのような多数部品の結合構造によりなされるため、その制御精度を維持することが容易でないが、本発明の構造は、作業距離の調整が単に調整モータと調整モータに連結されたカムギヤのカム形状に依存するため、制御精度が大きく向上できる。
【００９４】
以上、本発明の特定実施例に基づいて本発明のターンテーブル組立体を詳細に説明したが、本発明がこれに限定されるものではない。本発明は特許請求の範囲により決められる本発明の範囲内で限定および定義されるものである。
【図面の簡単な説明】
【００９５】
【図１】従来の一実施例による光ディスク装置を示す概略側面図である。
【図２ａ】従来のほかの実施例による光ディスク装置を示す分解斜視図である。
【図２ｂ】図２の光ディスク装置のターンテーブル装置の断面図である。
【図３】本発明の第１実施例によるターンテーブル組立体を示す分解斜視図である。
【図４】図３のターンテーブル組立体を備えた光ディスク装置を概略的に示す平面図である。
【図５】図４のＶ−Ｖ線についての断面図である。
【図６ａ】図５のターンテーブル組立体に光ディスクとしてＤＶＤを適用した場合を示す断面図である。
【図６ｂ】図５のターンテーブル組立体に光ディスクとしてＣＤを適用した場合を示す断面図である。
【図６ｃ】図５のターンテーブル組立体に光ディスクとしてＢＤを適用した場合を示す断面図である。
【図７】本発明によるターンテーブル組立体を用いてターンテーブルの高さを調整する工程を示すフローチャートである。
【図８】本発明の第２実施例によるターンテーブル組立体を示す分解斜視図である。
【符号の説明】
【００９６】
１０、１１０、２１０    光ディスク装置
２０、２２０、２２０ａ、２２０ｂ、２２０ｃ    光ディスク
３０    ターンテーブル装置
３２、１３２、２３２    ターンテーブル
４０、１４０、２４０    スピンドルモータ
４２、１４２、２４２    回転軸
６０、１６０、２６０    光ピックアップ
６２、１６２、２６２    対物レンズ
６６    アクチュエータ
８０    ベース
１４６    回転軸敷板
１４７    昇降支持部
１４８    弾性部材
１５０    昇降駆動部材
１５１    昇降駆動部
１５２    ヒンジ
１５３    一端部
１５４    連動ピン
１５６    駆動プレート
１５７    駆動カム
１５８    多段ガイド孔
１５８−１、１５８−２、１５８−３    ガイド孔
１７４、１７６、２７４、２７６    ガイド棒
１８０、２８０    デック
１８２    デック連動ピン
１８４    ヒンジ
２３０    ターンテーブル組立体
２５０、２５０′    調整モータ
２５２、２５２′    駆動軸
２５４    カムギヤ
２５５、２５５′    駆動ギヤ
２５６    カム
２５７、２７７    ギヤ
２７２    モータ
２７８    締結手段
２７９    ラック
２８２    中心孔
２８４    貫通孔
２８６    基準面
２９０    ブラケット
２９２    貫通孔
２９４    支持棒
【図１】
2006012373.tif 000003
【図２ａ】
2006012373.tif 000004
【図２ｂ】
2006012373.tif 000005
【図３】
2006012373.tif 000006
【図４】
2006012373.tif 000007
【図５】
2006012373.tif 000008
【図６ａ】
2006012373.tif 000009
【図６ｂ】
2006012373.tif 000010
【図６ｃ】
2006012373.tif 000011
【図７】
2006012373.tif 000012
【図８】
2006012373.tif 000013